(57)【要約】  耳道に配置する補聴器。この補聴器は、耳の外側付近に取り付ける一方側と、鼓膜に面して取り付けるべき別の側とで構成される。２つの側は、湾曲部によって相互に接続される。この湾曲は、マイクロホン入力部を一方側の先端面の中央に配置すること、約１５°および約４５°という湾曲の２つの角度のみを使用すること、および切り換え手段を使用することなど、さらなる特別な措置によって補聴器を左側または右側で使用できるような湾曲である。この方法で、左側または右側で使用することができる補聴器を提供できる。
2005515736.tif 000002
【特許請求の範囲】
【請求項１】
耳道内に配置され、マイクロホン、増幅器、スピーカおよび電池区画を設けたハウジング（６）を備える補聴器（１）で、前記ハウジングは一方側に前記補聴器を耳から取り外すための手段（７）が設けられ、他方側には、前記スピーカからの音を聴覚器官に伝達するための音響伝達手段（１０）が設けられた補聴器であって、前記一方側の端面（１４、３４）の中央部に前記マイクロホンの入力部（１１）を設けることを特徴とする補聴器。
【請求項２】
前記ハウジングが、ユニバーサルな標準的ハウジングであり、前記音響伝達手段（１０）が、患者の耳道に適応する部品を備える請求項１に記載の補聴器。
【請求項３】
前記一方側を通して設けた第１中心軸線（７）と、前記第２側を通して設けた第２中心軸線（８）とが、少なくとも１０°の角度αをなす請求項１または請求項２に記載の補聴器。
【請求項４】
前記角度αが少なくとも１５°である請求項１に記載の補聴器。
【請求項５】
前記角度αが約４５°である請求項１から請求項４までのいずれか１項に記載の補聴器。
【請求項６】
先端面の前記一方側にスイッチ手段（１２）を設けて成る請求項１から請求項５までのいずれか１項に記載の補聴器。
【請求項７】
先端面の前記一方側にコネクタ手段を設けて成る請求項１から請求項６までのいずれか１項に記載の補聴器。
【請求項８】
耳からこれを取り外す前記手段が、ハウジングに接続された射出成形部品を備える請求項１から請求項７までのいずれか１項に記載の補聴器。
【請求項９】
前記ハウジングの断面が卵形である請求項１から請求項８までのいずれか１項に記載の補聴器。
【請求項１０】
前記ハウジングの断面が対称形の卵形である請求項９に記載の補聴器。
【請求項１１】
前記他方側には、これを耳から取り外すための手段（７）を設けて成る請求項１から請求項１０までのいずれか１項に記載の補聴器。
【発明の詳細な説明】
【技術分野】
【０００１】
本発明は、耳道内に配置され、マイクロホン、増幅器、スピーカ、および電池区画を設けたハウジングを備える補聴器に関し、前記ハウジングはその一方側に前記補聴器を耳から取り外すための手段が設けられ、他方側には、前記スピーカからの音を聴覚器官に伝達する音響伝達手段が設けられる。
【背景技術】
【０００２】
このようなＣＩＣ（完全管内）補聴器は、Ｌ．Ｇ．ＢｏｒｄｅｗｉｊｋによるＰＣＴ国際特許出願第９９／１３６８６号から知られている。このような器具は、当該人の耳介内またはその付近に取り付けるより従来型の補聴器とは区別しなければならない。
【０００３】
器具を、耳道内のさらに深い位置に取り付けることは、視覚的な利点ばかりでなく音響的な利点も有する。
【０００４】
ＰＣＴ国際特許出願第０１／４１５０３号も、耳道に取り付ける補聴器を開示し、この補聴器は２つの部品で構成され、第１部品は、比較的剛性のプラスチック製標準的ハウジングを設けた標準的部品であり、その中にマイクロホン、増幅器、スピーカおよび電池区画が収容される。より軟質のプラスチック材料で作成した第２部品は、個々の患者の特定の耳道に適合させる。
【０００５】
現在まで、左耳と右耳には異なる補聴器が使用され、この補聴器のいずれも完全には満足できる適合性のないことが判明している。
【発明の開示】
【発明が解決しようとする課題】
【０００６】
これらの欠点を回避し、いずれの側でも使用できる補聴器を提供することが、本発明の目的である。
【課題を解決するための手段】
【０００７】
この目的は、上述したタイプの補聴器の場合、前記一方側の先端面の中心に前記マイクロホンの入力部を設けることによって達成される。
【０００８】
本発明による補聴器は、患者の耳道に配置するために任意のタイプの補聴器を備えることができる。重要なことは、患者の耳道にさらによく適合するために、補聴器がわずかに湾曲した設計であることだけである。有利な実施形態によると、外側に面する先端面は、表面的に違いがなく、一方の耳の標準的部分が実際に他方の耳に対して１８０°回転しているよう設計する。
【０００９】
操作要素および前記端面上のその位置は、１８０°回転しても最終結果には表面的違いが生じないよう、対称的な構成で配置される。マイクロホンの入力部を中心に作成し、したがって回転してもこれには違いが生ぜず、したがって一方の耳と他方との間に音響的違いがない。端面の他の２つの口は、操作要素を含み、これは実際に異なるが、１８０°の回転のため、この違いには気付かない。これが、正確に対称に配置された全く同じサイズの口だからである。
【００１０】
その面には、外側から見て、さらに端面の対称性配置構成の結果、右側の補聴器は、左側の補聴器と同じ表面的輪郭を有する。この設計の結果、左右での適合性、したがって耳道への配置および補聴器の外観が、頭部の両側で同じであり、技術的には、左右に同じ補強器の標準的部品がなお使用される。
【００１１】
本発明の有利な実施形態によると、補聴器は、比較的剛性のプラスチック材料で作成した標準的部品と、患者の耳道に適合される第２部品とで構成される。剛性プラスチック部品は、電子構成要素を良好に保護し、本発明によるとユニバーサルである。つまり右側でも左側でも使用するよう設計される。患者の耳道に適合するよう設計されたさらに軟質のプラスチック部品にするかは、関連する耳道によって決定される。
【００１２】
このような構造は、補聴器の部品を耳道の外側に取り付ける場合の構造とは区別しなければならない。このような補聴器は、耳の中に配置し、関連する患者のために注文製作された部品と、その上に配置され、ユニバーサルであるモジュールとで構成される。このモジュールは、左側でも右側でも使用することができる。
【００１３】
有利な実施形態によると、前記一方側を通して設けられた第１中心軸線と、前記第２側を通して設けられた第２中心軸線とが、少なくとも１０°の角度αを形成する。
【００１４】
驚くべきことに、一般的には２つのタイプの補聴器で十分であることが判明した。患者の大部分を補助することができるタイプは、一方側と他方側との間の角度が約４５°のものである。特定の使用者が使用できる別のタイプは、前記角度が約１５°のものである。
【００１５】
一般的に、上述した角度は１０°と４５°の間にある。
【００１６】
驚くべきことに、信頼性の高い方法で設計された補聴器は、左右いずれの耳でも使用できることが判明した。つまり、補聴器の幾つかの構成要素はユニバーサルに使用することができ、これは費用を大幅に削減する。
【００１７】
補聴器は、２つの部品で構成することができる。つまり、ユニバーサルに使用可能なハウジングと、他方側に取り付ける端部片であり、この端部片内に特に音路を配置し、これは個別に適用することができる。
【００１８】
さらなる有利な実施形態によると、一方側の先端面、つまり外側を向く先端面には、補聴器のＯＮ／ＯＦＦスイッチを設ける。さらに、前記先端面には、ある種の調節手段または調節を可能にする手段を設けることが好ましい。この調節手段は、電位計および／または補聴器内に存在し得る何らかのソフトウェアとの接続部を備えることができる。
【００１９】
さらなる有利な実施形態によると、補聴器の断面は卵形である、特に楕円（対称性の卵形）であることが好ましい。
【００２０】
さらに、一方の部品に、補聴器を取り外すための手段を設け、この手段は、射出成形で製造することが好ましい。他方側には同様にこのような手段を設けることができ、これは補聴器を耳道から離す場合に、または取り外すための第１手段が予想外に働かない場合に、補助として働く。
【００２１】
本発明を、好ましい実施形態に関して以下で例示する。
【発明を実施するための最良の形態】
【００２２】
図１において、補聴器が、全体を１で示されている。この補聴器は、内部部品２と、ハウジングと示すこともできる外部部品６とで構成される。内部部品は、ハウジング６に接続する接続部品と、関連する患者の耳道の特定の幾何学的形状に適合した部品４とで構成される。音路１０を部品４内に取り付ける。
【００２３】
外部部品６は、剛性プラスチック・ハウジングで構成することが好ましく、この中に電子部品を収容する。本発明によると、この外部部品は、左耳にも右耳にも使用することができる標準的部品である。内部部品は、患者の現在の耳道に応じて設計する。
【００２４】
電池５のためのスペースが、内部部品２とハウジング６との間に制限される。電池５は、これ以上詳細には図示されていないハウジング６の区画に収容される。図示されていないマイクロホン、増幅器（ディジタルまたはその他）およびスピーカも、ハウジング６内にある。環境との連結は、音口１１によって達成される。図２で見られるように、前記音口は、ハウジングの端面に設ける。先端面を１４で示す。音口１１は中心に配置される。つまり、ハウジング６の位置に関係なく、音口１１は常に関連する患者の耳介に対して同じ位置にある。符号７は引棒を示し、これはハウジングに接続され、射出成形で作成される。この引棒は、透明であることが好ましく、補聴器の取り外しおよび／または耳道への配置を実行するために働く。
【００２５】
他方側について上述した内部部品２の中心軸線を８で示す。この中心軸線は、内部部品の端面に対して直角位置にあることが好ましい。一方の部品について示したハウジングの長手方向軸線を９で示す。この長手方向軸線は、ハウジングの外部部品の先端面に対して直角位置にあることが好ましい。前記軸線間の角度をαで示し、本発明によると、この角度は１０°より大きく、特に約１５°、または好ましくは約４５°にあることが好ましい。
【００２６】
図２から、補聴器をオン／オフに切り換えるために端面１４にスイッチ１２も存在することが分かる。調節機構１３も存在する。この場合、これはハウジング６内に取り付けた増幅器の音響特性および音響レベルを設定するために、コンピュータなどに接続するためのコネクタである。図２から、外部境界は対称形の卵形、特に楕円であることが分かる。
【００２７】
図２で示すように、本発明による構造は、端面図で鏡面対称である。つまり、１８０°回転して、同じ図が得られる。同じことが、ハウジング６の残りの部分にも当てはまることが好ましい。このハウジング６は、ユニバーサル・ハウジングであり、存在する最小の耳道で２つの位置に、つまり左側と右側に配置できるような方法で寸法決定される。部品３は、特に関連する患者、および関連する耳道（左または右）に適合させる。つまり、部品６は一般的に、耳道で使用可能なスペースより小さく、その結果、本発明による補聴器を既存の補聴器の場合より耳道内のより深い位置に挿入することが可能である。これは、部品６がこの耳道より小さいので、耳道の湾曲した形状が障害を構成しないからである。これが全て適切に機能するため、言うまでもなく、端面を軸線９に対して直角の位置にすることが重要である。この状況でのみ、完全な対称性を確保することができる。
【００２８】
以上を読んだ後、当業者には請求の範囲に入る変形が想起される。
【図面の簡単な説明】
【００２９】
【図１】本発明による補聴器の第１例の概略斜視図。
【図２】図１による補聴器の端面図。
【図１】
2005515736.tif 000003
【図２】
2005515736.tif 000004
【国際調査報告】
2005515736.tif 000005
2005515736.tif 000006